(57)【要約】      （修正有）【課題】水分、雑菌、ごみ等を完全に遮断し介護者の衛生状態を確保する防水防菌靴下を提供する。【解決手段】防水防菌靴下の上皮部は、人間の足に対し上部にあり、防水防菌靴下が脱げないように、足先部４、側面部５、かかと部６より連続して構成されて底面部７にシームスに繋がっており、介護者の足を完全密閉状態で保持できる。材質は、軟質合成樹脂材により構成されている。【選択図】図３
0003187692.tif 000002
【実用新案登録請求の範囲】
【請求項１】
防水防菌靴下の上皮部は、人間の足に対し上部にあり、防水防菌靴下が脱げないように構成され、該上皮部の足先部、側面部、かかと部より連続して構成されて底面部に繋がっており、シームレスであるため介護者の足を完全密閉状態で、保持できるようになっており、
材質は、軟質合成樹脂材であるポリエチレン樹脂、ビニール樹脂、ラテックス樹脂、エラストマー樹脂、ゴム系樹脂の合成樹脂、又はゴム等の天然樹脂により構成されており、
強度を有しながら、柔軟性に富み、加えて水分や雑菌を完全に遮断することが出来、
一部品として製造でき、安価に製造出来ることを特徴とした防水防菌靴下。
【請求項２】
防水防菌靴下の底面部に凹部、又は凸部を設け、滑り止め効果を持たせる、又は底面部の外表面に細かい凹凸のエンボス加工を施し滑り止め効果を持たせることを特徴とした請求項１記載の防水防菌靴下。
【考案の詳細な説明】
【技術分野】
【０００１】  本考案は、ホームヘルパー等の介護者の衛生状態を確保する防水防菌靴下を提供するものである。
【背景技術】
【０００２】  近年高齢化社会を迎え、介護問題が日本社会の重要課題となっている。
病院、介護付き老人ホーム等の施設に入っている人は、清潔な状態や介護の目が行きとどいている。
一方在宅で、ホームヘルパー等の介護者による生活介護を受けている人の数が、大幅に増加しつつある。
高齢者や病人等の自宅は、一般書の場合と比べ食物の食べ落としや、汚物や雑菌等での汚れや水分が多く見受けられ、介護書の衛生状態を確保する上で問題となっていた。
そのため、水分、雑菌、ごみ等を完全に遮断し介護者の衛生状態を確保する防水防菌靴下が望まれていた。【０００３】  従来より提案されている防水靴下は、例としては、「特開２００２−１７３８０４」等が、提案されているが、防水底板が設けられているため製造工程が複雑で、結果として比較的高価となり、使い捨て使用等が出来にくいものとなっていた。
【先行技術文献】
【０００４】
【特許文献１】特開２００２−１７３８０４号
【０００５】
【考案の概要】
【考案が解決しようとする課題】
【０００６】  本考案は、完全防水防菌靴下を簡単な工程で製造可能な構造とすることにより、極めて安価で、かつ使い捨て使用が可能となる防水防菌靴下を提供するものである。
【課題を解決するための手段】
【０００７】  防水防菌靴下の上皮部は、人間の足に対し上部にあり、防水防菌靴下が脱げないように構成され、該上皮部の足先部、側面部、かかと部より連続して構成されて底面部に繋がっており、シームレスであるため介護者の足を完全密閉状態で、保持できるようになっており、
材質は、軟質合成樹脂材であるポリエチレン樹脂、ビニール樹脂、ラテックス樹脂、エラストマー樹脂、ゴム系樹脂の合成樹脂、又はゴム等の天然樹脂により構成されており、
強度を有しながら、柔軟性に富み、加えて水分や雑菌を完全に遮断することが出来、
一部品として製造でき、安価に製造出来ることを特徴とした防水防菌靴下を提供する。【０００８】  防水防菌靴下の底面部に凹部、又は凸部を設け、滑り止め効果を持たせる、又は底面部の外表面に細かい凹凸のエンボス加工を施し滑り止め効果を持たせることを特徴とした請求項１記載の防水防菌靴下を提供する。
【考案の効果】
【０００９】  （１）シームレスであるため介護者の足を完全密閉状態で、保持できるようになってい      る。
（２）軟質合成樹脂材であるポリエチレン樹脂、ビニール樹脂、ラテックス樹脂、エラ      ストマー樹脂、ゴム系樹脂の合成樹脂、又はゴム等の天然樹脂により構成される。      そのため、強度を有しながら、柔軟性に富み、加えて水分や雑菌を完全に遮断する      ことが出来る。
（３）底面部７は、フラットでもよいし、図５、図６、図７、図８に示すように凹部、      又は凸部を設け滑り止め効果を持たしても良い。
（４）防水防菌靴下１の外表面は、凹凸なしか、又は細かい凹凸のエンボス加工を施し      滑り止め効果を持たしても良い。
（５）シームレスの形状の防水防菌靴下１を、一部品として製造でき、底板の取付等の      必要がないため、安価に製造することが出来る。
（６）そのため使い捨て使用が出来るのである。
介護者は、次の訪問先では新しい防水防菌靴下１を使用すればよいので、極めて簡      単に衛生状態を保持できるのである。
（７）水防菌靴下１の厚さが薄いことより、被介護者から見ても外履きや、土足で歩い      ているように見えないため、不快感を与えないという利点も有するのである。
（８）本考案の実施例２では、防水防菌靴下１が、より脱げ難く、強度も強化するため      、繋ぎバンド１２を設けたものである。
【図面の簡単な説明】
【００１０】
【図１】使用状態を示す全体斜視図である。
【図２】防水防菌靴下１の断面図である。
【図３】防水防菌靴下１の側面図である。
【図４】防水防菌靴下１の平面図である。
【図５】底面部に凹部を設けた断面図である。
【図６】底面部に凸部を設けた断面図である。
【図７】図５、又は図６の底面図である。
【図８】別の形態の底面図である。
【図９】実施例２の平面図である。
【考案を実施するための形態】
【００１１】  本考案は、考案の効果に前述した如く、極めて簡単な構成で、防水防菌靴下を安価に製造することができる実際的な構造を提供するものである。
【００１２】  なお、本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【実施例１】
【００１３】  以下、本考案の実施例について、図面を参照しながら説明する。
この実施例１の防水防菌靴下１の使用状態を示す全体斜視図を図１に示す。【００１４】  図２は、防水防菌靴下１の断面図を示し、図３は、防水防菌靴下１の側面図を示す。【００１５】  図１には右足に防水防菌靴下１に着用した状態が示されている。以下右足を中心に説明するが、左足も反対勝手に同様である。【００１６】  図２に示すように、防水防菌靴下１の上皮部２は、人間の足に対し上部にあり、防水防菌靴下１が脱げないように構成されている。【００１７】  上皮部２の端部３は、厚め、若しくは突起状に構成され、防水防菌靴下１の脱げ防止の役割と、着脱時に破れないように強度を与えている。
図３は、防水防菌靴下１の側面図を示す。
図４は、防水防菌靴下１の平面図を示す。【００１８】  底面部７は、上皮部２の足先部４、側面部５、かかと部６より連続して構成され底面部７に繋がっている。
従って、シームレスであるため介護者の足を完全密閉状態で、保持できるようになっている。【００１９】  材質に関して述べると、防水防菌靴下１は、軟質合成樹脂材であるポリエチレン樹脂、ビニール樹脂、ラテックス樹脂、エラストマー樹脂、ゴム系樹脂の合成樹脂、又はゴム等の天然樹脂により構成されている。
そのため、強度を有しながら、柔軟性に富み、加えて水分や雑菌を完全に遮断することが出来る。【００２０】  厚さｔは、最小０．０２ｍｍ（２０μｍ）から最大０．５ｍｍの範囲で製作される。
０．０２ｍｍ未満では、破れやすくなるためである。０．５ｍｍを超えて厚くなると樹脂の量が多くなり経済的でないためである。更に望ましくは、最小０．０２５ミリ〜０．０３ミリの範囲が選ばれる。これは、強度と、経済性の両面で最適だからである。【００２１】  縁部３の厚さＴは、履きやすくすると共に破れにくくするため上皮部２の厚さより厚く構成される。【００２２】  底面部７は、フラットでもよいし、図５、又は図６に示すように凹部８、又は凸部９を設け滑り止め効果を持たしても良い。【００２３】  図７は、図５、又は図６の底面図である。図８は別の形態の凹部１０、又は凸部１１を設けた実施例である。【００２４】  又、防水防菌靴下１の外表面は、凹凸なしか、又は細かい凹凸のエンボス加工を施し滑り止め効果を持たしても良い。【００２５】  次に、防水防菌靴下１の製造方法に関して述べると、浸漬法（どぶ付け法ともいう）により、樹脂溶液中に型をどぶ付けし、型の表面に付着させてできた被膜を、型内にある空気孔から空気を吹き込み形成した製品を取りだす方法で製造される。
又は真空成形法、又はローテーション法、又はインジェクション成型法によって製造される。
特に望ましくは浸漬法で、型が一つで良く、工程が少ないため時間的、コスト的に安価なため最適な製造法の一つである。【００２６】  これらの方法により製造すると、シームレスの形状の防水防菌靴下１を、一部品として製造でき、底板の取付等の必要がないため、安価に製造することが出来る。
そのため使い捨て使用が出来るのである。
介護者は、次の訪問先では新しい防水防菌靴下１を使用すればよいので、極めて簡単に衛生状態を保持できるのである。【００２７】  防水防菌靴下１は、通常の靴下、又はストッキングの上履きとして使用しても良く、防水防菌靴下１の厚さが薄いことより、被介護者から見ても外履きや、土足で歩いているように見えないため、不快感を与えないという利点も有するのである。
【実施例２】
【００２８】  本考案の実施例２を、図９に示す。
防水防菌靴下１が、より脱げ難く、強度も強化するため、繋ぎバンド１２を設けたものである。
【産業上の利用可能性】
【００２９】  本考案の活用例としては、以上説明したように、在宅介護時の介護者の衛生状態の確保が出来、又安価に製造できるため、使い捨てに出来る利便性を有すると共に、大量生産による新規商品分野を開拓でき、産業の活性化に、貢献することができる。
【符号の説明】
【００３０】１  防水防菌靴下
２  上皮部
３  端部
４  足先部
５  側面部
６  かかと部
７  底面部
８、１０  凹部
９、１１  凸部
１２      繋ぎバンド
【図１】
0003187692.tif 000003
【図２】
0003187692.tif 000004
【図３】
0003187692.tif 000005
【図４】
0003187692.tif 000006
【図５】
0003187692.tif 000007
【図６】
0003187692.tif 000008
【図７】
0003187692.tif 000009
【図８】
0003187692.tif 000010
【図９】
0003187692.tif 000011